【手続補正書】
【提出日】令和3年10月1日(2021.10.1)
【手続補正１】
【補正対象書類名】特許請求の範囲
【補正対象項目名】全文
【補正方法】変更
【補正の内容】
【特許請求の範囲】
【請求項１】
複数のプラント資産を有するプラント環境内のデバイスについてのデバイス情報を追跡するコンピュータ実行方法であって、前記プラント資産のうちの少なくともいくつかが、前記プラント内で稼働中にプロセスを制御するように動作するように通信可能に接続され、前記方法が、
前記プラント資産のセットの各々のコンピューティングデバイスにおいて、前記それぞれのプラント資産についてのデバイス状態データを取得することと、
前記デバイス状態データをコンピュータ可読メモリ内に記憶することと、
データベース内に、複数のプロジェクトの各々についてのプロジェクトデータのセットを記憶することであって、プロジェクトデータの各セットが、前記プラント内の異なるプロジェクトに関連付けられているプラント資産のリストを含む、記憶することと、
特定のプロジェクト内の前記プラント資産の各々についての、前記コンピュータ可読メモリに記憶された前記デバイス状態データにアクセスすることと、
前記特定のプロジェクト内にないプラント資産のデバイスデータを含めることなく、前記特定のプロジェクト内の前記プラント資産についての前記アクセスされたデバイスデータを使用して、１つ以上のプロジェクトメトリクスを決定することと、
前記もう１つのまたはプロジェクトメトリクスを、ユーザにユーザインターフェースデバイスを介して、提示することと、を含む方法。
【請求項２】
１つ以上のプロジェクトメトリクスを決定することが、前記特定のプロジェクト内の前記プラント資産についての前記デバイス状態データに基づいて、前記プロジェクトの完了パーセントを決定することを含む、請求項１に記載のコンピュータ実行方法。
【請求項３】
ユーザが前記ユーザインターフェースを介して、前記特定のプロジェクト内の前記プラント資産のセットについてのフィルタ基準を選択して、フィルタリングされたプラント資産のリストを生成することを可能にすることをさらに含み、１つ以上のプロジェクトメトリクスを決定することが、前記フィルタリングされたプラント資産のリストの前記プラント資産についての前記アクセスされたデバイスデータを使用することを含み、前記もう１つまたはプロジェクトメトリクスを、ユーザにユーザインターフェースデバイスを介して提示することが、前記フィルタリングされたプラント資産のリストについての前記プロジ
ェクトメトリクスを提示することを含む、請求項１または２に記載のコンピュータ実行方法。
【請求項４】
コンピュータ処理デバイスを介して、前記プロジェクトの前記状態を定義する特定のプロジェクトに関連付けられている前記プラント資産についての前記記憶されたプラント資産データから、レポートを生成することをさらに含む、請求項１から３のいずれか１項に記載のコンピュータ実行方法。
【請求項５】
１つ以上のプロジェクトメトリクスを決定することが、前記特定のプロジェクトに関連付けられている異なるデバイス状態のセットのうちの各々にあるプラント資産の数に関する統計情報を決定することを含む、請求項１から４のいずれか１項に記載のコンピュータ実行方法。
【請求項６】
前記特定のプロジェクトに関連付けられている異なるデバイス状態のセットのうちの各々にあるプラント資産の数に関する前記統計情報を決定することが、前記特定のプロジェクトに関して、完了デバイス状態、または未完了デバイス状態のいずれかにある、前記特定のプロジェクト内の前記プラント資産の前記数を決定することを含む、請求項５に記載のコンピュータ実行方法。
【請求項７】
前記特定のプロジェクトに関連付けられている異なるデバイス状態のセットの各々にあるプラント資産の数に関する前記統計情報を決定することが、前記特定のプロジェクトに関して、３つ以上のデバイス状態のうちの１つにある、前記特定のプロジェクト内の前記プラント資産の前記数を決定することを含む、請求項５または６に記載のコンピュータ実行方法。
【請求項８】
前記特定のプロジェクトに関連付けられている異なるデバイス状態のセットの各々にあるプラント資産の数に関する前記統計情報を決定することが、前記特定のプロジェクトに関して、少なくとも２つのデバイス状態のうちの１つにある、前記特定のプロジェクト内の前記プラント資産の前記数を決定することを含み、前記少なくとも２つのデバイス状態のうちの１つに関連付けられている２つ以上の異なるデバイスのサブ状態のうちの１つにある、前記少なくとも２つのデバイス状態のうちの前記１つにあるプラント資産の前記数を決定することをさらに含む、請求項５から７のいずれか１項に記載のコンピュータ実行方法。
【請求項９】
１つ以上のプロジェクトメトリクスを決定することが、異なる健全性状態のセットの各々にあるプラント資産の数に関する統計情報を決定することをさらに含む、請求項５から８のいずれか１項に記載のコンピュータ実行方法。
【請求項１０】
１つ以上のプロジェクトメトリクスを決定することが、前記デバイス状態のうちの１つにある前記プラント資産のうちのいくつが２つ以上の健全性状態のセットのうちの異なる１つの中にあるかに関する統計情報を決定することをさらに含む、請求項５から９のいずれか１項に記載のコンピュータ実行方法。
【請求項１１】
ユーザが前記ユーザインターフェースを介して、前記デバイス状態のうちの１つにあるプラント資産に関連するデバイス特有情報を閲覧することを可能にすることをさらに含む、請求項５から１０のいずれか１項に記載のコンピュータ実行方法。
【請求項１２】
データベース内に、前記プロジェクトの異なる時間にわたる１つ以上のプラント資産状態に関するプラント資産情報を記憶することをさらに含み、前記ユーザに前記ユーザインターフェースを介して、前記プロジェクトに関連付けられている時間期間にわたる前記プ
ラント資産状態に関連する履歴情報を提示することを含む、請求項５から１１のいずれか１項に記載のコンピュータ実行方法。
【請求項１３】
前記１つ以上のプラント資産状態が、前記プラント資産の各々についてのデバイス状態および健全性状態のうちの１つまたは両方を含む、請求項１２に記載のコンピュータ実行方法。
【請求項１４】
１つ以上のプロジェクトメトリクスを決定することが、異なる健全性状態のセットの各々にあるプラント資産の数に関する統計情報を決定することを含む、請求項１から１３のいずれか１項に記載のコンピュータ実行方法。
【請求項１５】
ユーザが前記ユーザインターフェースを介して、前記健全性状態のうちの１つにあるプラント資産に関連するデバイス特有情報を閲覧することを可能にすることをさらに含む、請求項１４に記載のコンピュータ実行方法。
【請求項１６】
プロセスプラント内のデバイスのセットに関連付けられているデータにアクセスするための、前記プロセスプラントにおける使用のための資産管理システムであって、
コンテンツを提示するためのユーザインターフェースと、
前記デバイスのセットの各々についてのデバイスデータのセットを記憶するメモリと、
前記デバイスのセット、前記ユーザインターフェース、および前記メモリとインターフェースをとる１つ以上のプロセッサであって、
通信リンクを介して前記デバイスのセットの各々から、前記それぞれのデバイスについてのデバイスデータを受信すること、
前記デバイスのセットに関連付けられている前記デバイスデータを前記メモリに記憶すること、
前記ユーザインターフェースを介して、前記プロセスプラント内のプロジェクトのプロジェクト定義を受信することであって、前記プロジェクト定義が、前記プラント内の１つ以上のプロジェクトに関連付けられているデバイスのリストを含む、受信すること、
前記プロジェクト定義を前記メモリ内に記憶すること、
前記プロジェクト内にないデバイスについてのデバイスデータを含めることなく、前記プロジェクト内の前記デバイスについての前記デバイスデータを使用して、１つ以上のプロジェクトメトリクスを決定すること、および
前記もう１つまたはプロジェクトメトリクスを、ユーザにユーザインターフェースデバイスを介して提示すること、を行うように構成された１つ以上のプロセッサと、を備える、資産管理システム。
【請求項１７】
デバイス状態データを含む前記デバイスデータおよび前記１つ以上のプロセッサが、前記プロジェクト内の前記デバイスについての前記デバイス状態データに基づいて、前記プロジェクトの完了パーセントを決定することによって、１つ以上のプロジェクトメトリクスを決定する、請求項１６に記載の資産管理システム。
【請求項１８】
前記１つ以上のプロセッサが、前記プロジェクトに関連付けられている異なるデバイス状態のセットの各々にあるデバイスの数に関する統計情報を決定することによって、１つ以上のプロジェクトメトリクスを決定する、請求項１６または１７に記載の資産管理システム。
【請求項１９】
前記１つ以上のプロセッサが、前記プロジェクトに関して、完了デバイス状態、または未完了デバイス状態のいずれかにある、前記プロジェクト内の前記プラント資産の前記数を決定することによって、前記プロジェクトに関連付けられている異なるデバイス状態のセットの各々にあるデバイスの数に関する前記統計情報を決定する、請求項１８に記載の
資産管理システム。
【請求項２０】
前記１つ以上のプロセッサが、前記プロジェクトに関して、少なくとも２つのデバイス状態のうちの１つにある、前記プロジェクト内のデバイスの数を決定することによって、前記プロジェクトに関連付けられている異なるデバイス状態のセットの各々にある前記デバイスの前記数に関する前記統計情報をさらに決定し、前記少なくとも２つのデバイス状態のうちの１つに関連付けられている２つ以上の異なるデバイスサブ状態のうちの１つにある、前記少なくとも２つのデバイス状態のうちの前記１つにあるデバイスの数を決定することをさらに含む、請求項１８または１９に記載の資産管理システム。
【請求項２１】
前記１つ以上のプロセッサが、異なる健全性状態のセットの各々にあるデバイスの数に関する統計情報を決定することによって、１つ以上のプロジェクトメトリクスを決定する、請求項１８から２０のいずれか１項に記載の資産管理システム。
【請求項２２】
前記１つ以上のプロセッサが、前記デバイス状態のうちの１つにある前記デバイスのうちのいくつが２つ以上の健全性状態のセットのうちの異なるものにあるかに関する統計情報を決定することによって、１つ以上のプロジェクトメトリクスを決定する、請求項１８から２１のいずれか１項に記載の資産管理システム。
【請求項２３】
前記１つ以上のプロセッサが、データベース内に、前記プロジェクトの異なる時間にわたる前記プロジェクト内の１つ以上のデバイスに関するデバイス情報を記憶し、ユーザに前記ユーザインターフェースを介して、前記プロジェクトに関連付けられている時間期間にわたる前記プロジェクト内の前記デバイスに関連する履歴情報を提示する、請求項１８から２２のいずれか１項に記載の資産管理システム。
【請求項２４】
前記１つ以上のプロセッサが、ユーザが前記ユーザインターフェースを介して、前記プロジェクト内の前記デバイスのセットについてのフィルタ基準を選択して、フィルタリングされたプロジェクトデバイスのリストを生成することを可能にし、前記１つ以上のプロセッサが、前記フィルタリングされたプロジェクトデバイスのリスト内の前記プロジェクトデバイスについての前記アクセスされたデバイスデータを使用して、前記１つ以上のプロジェクトメトリクスを決定し、前記１つ以上のプロセッサが、前記フィルタリングされたプロジェクトデバイスのリストについての前記プロジェクトメトリクスを提示することによって、前記もう１つまたはプロジェクトメトリクスを、ユーザにユーザインターフェースデバイスを介して提示する、請求項１８から２３のいずれか１項に記載の資産管理システム。